(57)【要約】【課題】複数の取り付け部分が集中する箇所においても被締め付け部材を固定することができるソケットレンチ用ソケットを提供する。【解決手段】本実施例に係るソケットレンチ用ソケット１０は、外筒１１と、内筒１２とから構成される二重構造のソケットレンチ用ソケットであって、外筒１１及び内筒１２の本体１１ａ、１２ａの側面の軸方向に沿った全長に亙ってスリット１３Ａ、１３Ｂを有し、外筒１１がその先端に被締付け部材１６の固定用ボルトの頭部１６ａの形状に対応した先端嵌合部１１ｃを有すると共に、内筒１２が被締付け部材１６の締付け用ボルトの頭部１６ｂの形状に対応した先端嵌合部１２ｃを有する。先端嵌合部１１ｃと固定用ボルトの頭部１６ａとを嵌合させ、被締付け部材１６を固定し、先端嵌合部１２ｃと締付用ボルトの頭部１６ｂとを嵌合させ、被締付け部材１６を締結し、スリット１３Ａ、１３Ｂを介して内筒１２から配線１７を取り出す。【選択図】図１
2009196051.tif 000002
【特許請求の範囲】
【請求項１】
外筒と、その外筒に内挿される内筒とから構成される二重構造のソケットレンチ用ソケットであって、
前記外筒及び前記内筒の本体側面の軸方向に沿った全長に亙ってスリットを有し、
前記外筒が、その先端に部材表面に取り付けられた被締付け部材の固定用ボルトの頭部の形状に対応した先端嵌合部を有すると共に、
前記内筒が、前記被締付け部材の締付け用ボルトの頭部の形状に対応した先端嵌合部を有することを特徴とするソケットレンチ用ソケット。
【請求項２】
請求項１の二重構造のソケットレンチ用ソケットを用いた被締付け部材の固定方法であって、
前記内筒の収容部内に前記部材表面から延びる配線又は配管を収容しながら、
前記外筒と前記内筒とを前記被締付け部材に取り付け、
前記部材表面に取り付ける前記被締付け部材の固定用ボルトの頭部を前記外筒の先端嵌合部に収容し、
前記被締付け部材の締付け用ボルトの頭部を前記内筒の先端嵌合部に収容し、
前記外筒を回して前記固定用ボルトの頭部を前記外筒の先端嵌合部に嵌合させ、前記被締付け部材を固定し、
前記内筒を回して前記締付け用ボルトの頭部を前記内筒の先端嵌合部に嵌合させ、前記被締付け部材を締付け、
前記配線又は配管を前記外筒及び前記内筒の各々の本体側面に設けたスリットを介して外すことを特徴とする被締付け部材の固定方法。
【発明の詳細な説明】
【技術分野】
【０００１】
本発明は、ボルトやナットの締め付け作業、または緩め作業に使用される工具であるソケットレンチ用ソケット及び被締付け部材の固定方法に関する。
【背景技術】
【０００２】
従来、ボルトやナットなどの被締め付け部材を締め付けたり緩めたりするための工具として、メガネレンチ、ソケットレンチなどの締付け工具を用いて行われていた。ソケットレンチは、例えば正六角形の外形形状をするナットやボルトの頭部を収容する例えば正六角形などの形状からなる収容部を有し、前記収容部にボルトの頭部やナットを収容した状態でトルクをかけることによって、前記ナットや前記ボルトを締め付けるものである。
【０００３】
また、部材表面から延びる多数の配線等を被締め付け部材を介して延ばす場合、多数の配線等はできるだけ集約して束として出すことが好ましいため、締付け工具の側面の一部に切欠き部などを設け、配線を集約し束として出す方法が提案されている（特許文献１）。
【０００４】
【特許文献１】特開昭６１−２７９４７１号公報
【発明の開示】
【発明が解決しようとする課題】
【０００５】
しかしながら、締付け工具の側面の一部に設けた切欠き部から配線を集約して束として出す方法では、締付け工具の側面に部分的にしか前記切欠き部が設けられていないため、配線等の出し入れが自由に出来ず、実際に使用する際には前記切欠き部が十分に役に立っていない、という問題がある。
【０００６】
また、管や配線類を取り付ける際に、例えばタービンの外壁などのように特定部分について集中的に管や配線類を取り付ける場合がある。被締め付け部材をタービンの外壁の特定部分に集中的に管や配線類を取り付ける場合の一例を図５、６に示す。図５、６に示すように、管１０１や配線等をタービン１０２の特定の貫通部分１０３に集中的に多数貫通させ、その集中した貫通部分１０３に固定する際、従来のようにボルトやナットなどの被締め付け部材１０４、１０５をタービン１０２の外壁表面１０２ａに取り付けソケットレンチ１０６、１０７などを用いて締め付けたり緩めたりする必要がある。
【０００７】
しかしながら、従来のように被締め付け部材１０４、１０５をソケットレンチ１０６、１０７などを用いて締め付けたり緩めたりする方法では、隣接する他の被締め付け部材１０４、１０５が邪魔となり前記被締め付け部材の締付け作業、または緩め作業を行なうことができない、という問題がある。
【０００８】
また、被締め付け部材１０４、１０５から延びる多数の配線等が邪魔となり被締め付け部材１０４、１０５の締付け作業、緩め作業を行なうことができない、という問題がある。
【０００９】
本発明は、前記問題に鑑み、複数の取り付け部分が集中する箇所においても被締め付け部材を固定することができるソケットレンチ用ソケットを提供することを課題とする。
【課題を解決するための手段】
【００１０】
上述した課題を解決するための本発明の第１の発明は、外筒と、その外筒に内挿される内筒とから構成される二重構造のソケットレンチ用ソケットであって、前記外筒及び前記内筒の本体側面の軸方向に沿った全長に亙ってスリットを有し、前記外筒が、その先端に部材表面に取り付けられた被締付け部材の固定用ボルトの頭部の形状に対応した先端嵌合部を有すると共に、前記内筒が、前記被締付け部材の締付け用ボルトの頭部の形状に対応した先端嵌合部を有することを特徴とするソケットレンチ用ソケットにある。
【００１１】
第２の発明は、第１の発明の二重構造のソケットレンチ用ソケットを用いた被締付け部材の固定方法であって、前記内筒の収容部内に前記部材表面から延びる配線又は配管を収容しながら、前記外筒と前記内筒とを前記被締付け部材に取り付け、前記部材表面に取り付ける前記被締付け部材の固定用ボルトの頭部を前記外筒の先端嵌合部に収容し、前記被締付け部材の締付け用ボルトの頭部を前記内筒の先端嵌合部に収容し、前記外筒を回して前記固定用ボルトの頭部を前記外筒の先端嵌合部に嵌合させ、前記被締付け部材を固定し、前記内筒を回して前記締付け用ボルトの頭部を前記内筒の先端嵌合部に嵌合させ、前記被締付け部材を締付け、前記配線又は配管を前記外筒及び前記内筒の各々の本体側面に設けたスリットを介して外すことを特徴とする被締付け部材の固定方法にある。
【発明の効果】
【００１２】
本発明によれば、外筒と、内筒とから構成される二重構造のソケットレンチ用ソケットであって、前記外筒及び前記内筒の本体側面の軸方向に沿った全長に亙ってスリットを有し、前記外筒が、その先端に部材表面に取り付けられた被締付け部材の固定用ボルトの頭部の形状に対応した先端嵌合部を有すると共に、前記内筒が、前記被締付け部材の締付け用ボルトの頭部の形状に対応した先端嵌合部を有しているため、複数の取り付け部分が集中する箇所において、隣接する他の被締め付け部材、多数の配管、配線等の影響を受けることなく前記被締め付け部材を固定し、前記被締め付け部材の締結および弛緩を行うことができる。
【発明を実施するための最良の形態】
【００１３】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例】
【００１４】
本発明による実施例に係るソケットレンチ用ソケットについて、図面を参照して説明する。
図１は、本実施例に係るソケットレンチ用ソケットの構成を簡略に示す概略図であり、図２は、本実施例に係るソケットレンチ用ソケットの外筒の構成を簡略に示す概略図であり、図３は、本実施例に係るソケットレンチ用ソケットの内筒の構成を簡略に示す概略図である。
図１〜図３に示すように、本実施例に係るソケットレンチ用ソケット１０は、外筒１１と、その外筒１１に内挿される内筒１２とから構成される二重構造のソケットレンチ用ソケットであって、外筒１１及び内筒１２の本体１１ａ、１２ａの側面の軸方向に沿った全長に亙って各々スリット１３Ａ、１３Ｂを有し、外筒１１が、その先端に取り付けられた被締付け部材１６の固定用ボルトの頭部１６ａの形状に対応した先端嵌合部１１ｃを有すると共に、内筒１２が、被締付け部材１６の締付け用ボルトの頭部１６ｂの形状に対応した先端嵌合部１２ｃを有するものである。また、被締め付け部材１６は部材１４の表面１４ａの貫通部１５に設置され、内筒１２の収容部１２ｂ内には部材１４の表面１４ａの貫通部１５から延びる配線１７が収容されている。
【００１５】
本実施例に係るソケットレンチ用ソケット１０のように、外筒１１及び内筒１２の各々の本体１１ａ、１２ａの側面の軸方向に沿った全長に亙ってスリット１３Ａ、１３Ｂを設けることで、貫通部１５に被締め付け部材１６を固定し、締結した後、外筒１１及び内筒１２のスリット１３Ａ、１３Ｂの位置を合わせることで、内筒１２の収容部１２ｂ内にある配線１７を容易に取り出すことができる。
【００１６】
また、本実施例に係るソケットレンチ用ソケット１０においては、外筒１１が外筒１１の収容部１１ｂの先端に先端嵌合部１１ｃを有し、先端嵌合部１１ｃが部材１４の表面１４ａに取り付けた被締付け部材１６の固定用ボルトの頭部１６ａの形状に対応するようにしている。これにより、部材１４の表面１４ａに取り付ける被締付け部材１６の固定用ボルトの頭部１６ａを外筒１１の先端嵌合部１１ｃに収容し、スパナ１８を外筒１１の締付け用上端部１９に取り付けて外筒１１を回すことで固定用ボルトの頭部１６ａを外筒１１の先端嵌合部１１ｃに嵌合させ、被締付け部材１６の位置を固定することができる。
【００１７】
また、本実施例に係るソケットレンチ用ソケット１０は、内筒１２が、内筒１２の収容部１２ｂの先端に先端嵌合部１２ｃを有し、筒嵌合部１２ｃが被締付け部材１６の締付け用ボルトの頭部１６ｂの形状に対応するようにしている。これにより、被締付け部材１６の締付け用ボルトの頭部１６ｂを内筒１２の先端嵌合部１２ｃに収容し、スパナ２０を内筒１２の締付け用上端部２１に取り付けて内筒１２を回すことで締付け用ボルトの頭部１６ｂを内筒１２の先端嵌合部１２ｃに嵌合させ、被締付け部材１６を締結することができる。
【００１８】
また、外筒１１の収容部１１ｂの内径は内筒１２の収容部１２ｂの外径よりも大きく、外筒１１の先端嵌合部１１ｃの内径は内筒１２の先端嵌合部１２ｃの外径よりも大きくなるようにしている。これにより、外筒１１を回して被締付け部材１６を固定する際に、内筒１２も同時につれ回りするのを防止することができる。
【００１９】
また、部材１４の表面１４ａの貫通部１５に設けた被締付け部材１６の固定・締付け作業の工程について説明する。
貫通部１５に被締付け部材１６を取り付け、貫通部１５から延びる配線１７は、被締付け部材１６内を通すようにする。そして、被締付け部材１６に外筒１１、内筒１２の順に取り付ける。このとき、被締付け部材１６の固定用ボルトの頭部１６ａは外筒１１の先端嵌合部１１ｃに収容し、被締付け部材１６の締付け用ボルトの頭部１６ｂは内筒１２の先端嵌合部１２ｃに収容する。また、貫通部１５から延びる配線１７は、外筒１１及び内筒１２の内部を通し、内筒１２の収容部１２ｂ内に収容するようにする。
【００２０】
そして、スパナ１８を外筒１１の締付け用上端部１９に取り付けて外筒１１を回して固定用ボルトの頭部１６ａを外筒１１の先端嵌合部１１ｃに嵌合させ、被締付け部材１６の位置の固定を行う。
【００２１】
そして、被締付け部材１６を固定した後、スパナ２０を内筒１２の締付け用上端部２１に取り付けて内筒１２を回して締付け用ボルトの頭部１６ｂを内筒１２の先端嵌合部１２ｃに嵌合させ、被締付け部材１６の締付けを行う。
【００２２】
図４は、本実施例に係るソケットレンチ用ソケットを貫通部の被締付け部材に適用した一例を示す図である。図４に示すように、ソケットレンチ用ソケット１０を被締付け部材１６に取り付けることで、他の貫通部１５から伸びる配線の影響を受けることなく、ソケットレンチ用ソケット１０を取り付けた被締付け部材１６を固定し、締結することができる。
【００２３】
その後、外筒１１及び内筒１２を持ち上げ、被締付け部材１６から外し、外筒１１及び内筒１２のスリット１３Ａ、１３Ｂの位置を合わせ、内筒１２の収容部１２ｂ内を通した配線１７をスリット１３Ａ、１３Ｂを介して取り出す。よって、スリット１３Ａ、１３Ｂを介して外筒１１及び内筒１２から配線１７を容易に取り外すことができるため、配線１７を外筒１１及び内筒１２から着脱自在とすることができる。
【００２４】
そして、取り出した外筒１１及び内筒１２は、別の貫通部１５に取り付けた被締付け部材１６に取り付け、上述と同様の操作を行う。
【００２５】
よって、本実施例に係るソケットレンチ用ソケット１０を用いることで、隣接する他の被締め付け部材１６、他の貫通部１５から伸びる配線１７などの影響を受けることなく被締め付け部材１６を固定し、被締め付け部材１６の締結および弛緩を行うことができる。
【００２６】
なお、外管１１、内管１２の材質は、例えば、アルミニウムなどの軽量な材質、鉄鋼管、ステンレス管、鉄管、樹脂管、鋼などの高強度の材質、またはこれらを適宜組み合わせて一体に結合したものを用いることができる。
【００２７】
また、本実施例に係るソケットレンチ用ソケット１０においては、外筒１１の先端嵌合部１１ｃの内径を内筒１２の先端嵌合部１２ｃの外形よりも大きくなるようにしているが、本発明はこれに限定されるものではなく、外筒１１の先端嵌合部１１ｃの内径を内筒１２の先端嵌合部１２ｃの外径と同じ大きさとしてもよい。これにより、外筒１１及び内筒１２を被締付け部材１６に取り付け、被締付け部材１６を固定し、被締め付け部材１６の締結および弛緩を行うことができる。
【００２８】
また、本実施例に係るソケットレンチ用ソケット１０においては、内筒１２の収容部１２ｂの内径はスリット１３Ｂの幅より大径であることが好ましい。これは、内筒１２の収容部１２ｂ内に収容される配線１７などが被締付け部材１６の固定、締結などの作業を行っている最中にスリット１３Ｂから抜けてしまうのを防止するためである。なお、内筒１２の収容部１２ｂの内径はスリット１３Ｂの幅と同じにしてもよい。
【００２９】
このように、本実施例に係るソケットレンチ用ソケットを用いれば、外筒１１及び内筒１２の本体１１ａ、１２ａの側面に各々スリット１３Ａ、１３Ｂを有しているため、他の貫通部１５から伸びる配線１７などの影響を受けることなく、貫通部１５に取り付けた被締付け部材１６を固定し、被締め付け部材１６の締結および弛緩を行うことができる。また、スリット１３Ａ、１３Ｂを介して配線１７を容易に外すことができるため、配線１７を外筒１１及び内筒１２から着脱自在とすることができる。
【００３０】
また、本実施例において用いられるソケットレンチ用ソケットは、ガスタービン設備のタービンの外壁表面に用いることができるが、本発明はこれに限定されるものではなく貫通部分を有する部位であれば、他の設備にも用いることができる。
【産業上の利用可能性】
【００３１】
以上のように、本発明に係るソケットレンチ用ソケットは、外筒及び内筒の側面に各々スリットを有し、他の貫通部から伸びる配線等の影響を受けることなく、被締付け部材の固定、締結および弛緩を行うことができるため、特定の箇所に集中して取り付けられる複数の被締付け部材を固定するソケットレンチ用ソケットに用いて適している。
【図面の簡単な説明】
【００３２】
【図１】本発明の実施例に係るソケットレンチ用ソケットの構成を簡略に示す概略図である。
【図２】本発明の実施例に係るソケットレンチ用ソケットの外筒の構成を簡略に示す概略図である。
【図３】本発明の実施例に係るソケットレンチ用ソケットの内筒の構成を簡略に示す概略図である。
【図４】本発明の実施例に係るソケットレンチ用ソケットを貫通部の被締付け部材に適用した一例を示す図である。
【図５】被締め付け部材をタービンの外壁に取り付ける場合の一例を示す図である。
【図６】タービン外壁に設けられる複数の貫通部分を簡略に示す図である。
【符号の説明】
【００３３】
１０  ソケットレンチ用ソケット
１１  外筒
１２  内筒
１１ａ、１２ａ  本体
１１ｂ、１２ｂ  収容部
１１ｃ、１２ｃ  先端嵌合部
１３Ａ、１３Ｂ  スリット
１４  部材
１４ａ  表面
１５  貫通部
１６  被締付け部材
１６ａ  固定用ボルトの頭部
１６ｂ  締付け用ボルトの頭部
１７  配線
１８、２０  スパナ
１９、２１  締付け用上端部
【図１】
2009196051.tif 000003
【図２】
2009196051.tif 000004
【図３】
2009196051.tif 000005
【図４】
2009196051.tif 000006
【図５】
2009196051.tif 000007
【図６】
2009196051.tif 000008